(57)【要約】【課題】浴槽を大きくする必要がなく、また、椅子本体部の吊り上げ高さを低くしても、着座した被介護者の足が浴槽の框に引っかかることなく被介護者をリフト装置を用いて容易かつ安全に浴槽に入槽させることができる介護用椅子を提供することを目的としている。【解決手段】座部４ａおよび背凭れ部５ａを有する椅子本体部１ａと、足載せ部２１および足載せ支持部２２を有するフットサポート部２ａを備え，フットサポート部２ａを、第２係止部２４に係止した吊りベルトＳによって上方へ吊り上げる力が働くと、背凭れ部５ａの姿勢を吊り上げ前の状態に保持させて、足載せ部２１が上方に向かって移動し、吊り上げる力が解除されると、足載せ部２１が移動した上方位置から吊り上げ前の位置まで下降可能に椅子本体部１ａに支持されている構成とした。【選択図】      図９
2015181858.tif 000002
【特許請求の範囲】
【請求項１】
座部および背凭れ部を有する椅子本体部と、
足載せ部および足載せ支持部を有するフットサポート部を備える介護用椅子であって、
前記フットサポート部は、上方へ吊り上げる力が働くと、少なくとも椅子本体部の背凭れ部の姿勢を吊り上げ前の状態に保持させて、前記足載せ部が少なくとも上方に向かって移動可能に、かつ、
前記吊り上げる力が解除されると、前記足載せ部が移動した上方位置から吊り上げ前の位置まで下降可能に、前記椅子本体部に支持されていることを特徴とする介護用椅子。
【請求項２】
椅子本体部と、この椅子本体部を着脱可能かつ装着状態で走行可能に下方から支持する台車部を有する請求項１に記載の介護用椅子。
【請求項３】
リフト装置の吊下げ条体を係止する条体係止部が、椅子本体部およびフットサポート部の足載せ支持部に設けられている請求項１または請求項２に記載の介護用椅子。
【請求項４】
フットサポート部は、足載せ支持部の一端が、椅子本体部の幅方向に平行なフットサポート枢支軸を介して前記椅子本体部に回動自在に支持されている請求項１〜請求項３のいずれかに記載の介護用椅子。
【請求項５】
椅子本体部が、一端がフットサポート枢支軸に平行な軸を介して座部下面に回動自在に支持され、他端がフットサポート枢支軸に枢支されている支持アームを備えている請求項４に記載の介護用椅子。
【請求項６】
椅子本体部に、上側に向かって背凭れ部に近づくように傾くガイド部を有し、足載せ支持部が前記ガイド部に沿ってスライドするように支持されている請求項１〜請求項３のいずれかに記載の介護用椅子。
【請求項７】
足載せ支持部が座部に固定されているとともに、座部がその幅方向に平行な座部枢支軸を介して回動可能に背凭れ部に支持され、足載せ支持部を吊り上げる力が働くと、座部枢支軸を中心に座部が回動し、足載せ部が上方に移動する請求項１〜請求項３のいずれかに記載の介護用椅子。
【請求項８】
座部が、その幅方向の中心軸に沿って切断した断面で見て下方に凸の円弧形状となっているとともに、円弧の中心に座部枢支軸が一致している請求項７に記載の介護用椅子。
【発明の詳細な説明】
【技術分野】
【０００１】
本発明は、使用者が椅子本体部に着座した状態で介護者等がリフト装置を用いて使用者を椅子本体部とともに浴槽に入槽させることができる介護用椅子に関する。
【背景技術】
【０００２】
自力で歩行ができない老人や身体障害者などの被介護者を浴槽内に入槽させる際に、介護者の負担を軽減させるために、入浴椅子と、入浴椅子全体をリクライニングさせる手段と、入浴椅子を浴槽外と浴槽内の間で移動させる移動手段を有し、入浴椅子をリクライニングさせたとき入浴椅子全体が浴槽の框の高さよりも高くなるようにして、入浴椅子をほぼ水平方向に移動させるだけで浴槽の框を越えて浴槽外と浴槽内の間で移動させることができるようにした入浴装置（特許文献１参照）が提案されている。
【０００３】
すなわち、上記入浴装置の場合、被介護者を入浴椅子に座らせた後、入浴椅子全体をリクライニング姿勢にして浴槽に入槽させるようになっており、入槽時に入浴椅子の高さを大きく上昇させる必要がない。したがって、天井高の低い浴室においても使用できる。
【０００４】
しかし、上記入浴装置は、入浴椅子全体をリクライニング姿勢にして浴槽に入槽させるようになっているため、平面視したとき、入槽時の入浴椅子の長手寸法が長くなり、長手寸法の大きい浴槽にしか用いることができない。したがって、小さい浴槽しかない小規模介護施設や一般家庭などには不向きである。
また、上記入浴装置のようなリクライニング姿勢は、一般的な入浴姿勢と比較して、極端に上体が寝た姿勢になり、被介護者に不快感を与える恐れがある。
【０００５】
しかも、上記入浴装置の場合、浴室内まで車椅子で被介護者を移送し、必要に応じて介護者がサポートしながら車椅子から入浴椅子に乗り移らせるようになっているが、浴室の床が濡れていると、被介護者を乗り移らせる際に介護者が足を滑らせて介護者や被介護者が倒れて怪我をするおそれがある。
【０００６】
一方、図１８、図１９に示すような、椅子本体部２００と、この椅子本体部２００を着脱可能かつ装着状態で走行可能に下方から支持する台車部３００を備えた入浴介護用車椅子（シャワーキャリー）１００が提案されている（特許文献２参照）。
すなわち、この入浴介護用車椅子１００は、以下のようにして使用される。
（１）寝室や浴室の隣室等で脱衣させた使用者である被介護者Ｍを、臀部が座部２１０に受けられ、背中が背凭れ部２２０に受けられるとともに、図示していないが、足Ｆが台車部３００側に設けられた足載せ部３１０に受けられるように座らせる。
（２）介護者（図示せず）が台車部３００を押して入浴介護用車椅子１００を走行させて被介護者Ｍを着座させた状態で浴室まで移動させる。
（３）介護者が、浴室内の浴槽Ｔ近傍に設けられたリフト装置の吊下げ部４００に上端が係止された吊下げ条体である吊りベルトＳを、背凭れ部２２０と座部２１０に設けられた係止部に係止させる。
（４）介護者が椅子本体部２００の台車部３００へのロック手段を解除するとともに上端がリフト装置Ｌの吊下げ部Ｌ１に係止された４本（図では２本しかあらわれていない）の吊りベルトＳの下端を椅子本体部２００の座部２１０の左右および背凭れ部２２０の左右に設けられた係止部に係止させた状態にする。
（５）リフト装置Ｌを操作して４本の吊りベルトＳを介して椅子本体部２００を吊り上げて、図１８に示すように椅子本体部２００を台車部３００から分離する。
（６）図１８に二点鎖線で示すように、浴槽Ｔの框Ｔ１に被介護者Ｍの足Ｆが引っかからないないように、被介護者Ｍの下肢を下方から持ち上げながら、椅子本体部２００を浴槽Ｔ内部を臨む入槽位置まで移動させる（以下、「方法１」と記す）、あるいは、図１９に示すように、浴槽Ｔの框Ｔ１に引っかからない十分な高さまで椅子本体部２００を吊り上げた後、椅子本体部２００を浴槽Ｔ内部を臨むまで移動させる（以下、「方法２」と記す）。
（７）介護者がリフト装置を操作して椅子本体部２００を吊り降ろし、椅子本体部２００とともに、被介護者Ｍを浴槽Ｔ内に入槽させて、入浴介護を行う。
（８）入浴完了後、上記（７）、（６）の作業の手順を逆方向から実施して、椅子本体部２００を台車部３００に装着する。
（９）介護者が台車部３００を押して入浴介護用車椅子１００を走行させて被介護者Ｍを着座させた状態で隣室あるいは寝室まで運ぶ。
【先行技術文献】
【特許文献】
【０００７】
【特許文献１】特開2001-79060号公報
【特許文献２】特開2008-253426号公報
【発明の開示】
【発明が解決しようとする課題】
【０００８】
しかし、上記入浴介護用車椅子１００は、方法１の場合、浴槽Ｔの框に被介護者Ｍの足Ｆが引っかからないないように被介護者Ｍの下肢側を下方から持ち上げながら、椅子本体部２００が浴槽Ｔ内部を臨む入槽位置まで椅子本体部２００を移動させるようにしなければならない。したがって、一人の介護者だけで入槽作業を行う場合、介護者が腰をかがめたり、体を傾けたり不自然な姿勢をしながら、リフト装置を操作しなければならないため、介護者の作業性が悪いとともに、介護者の体に過度の負担を強いることになるおそれがある。
【０００９】
一方、方法２の場合、介護者への負担は少なくなるが、椅子本体部を高く吊り上げる必要があるため、被介護者Ｍに恐怖感を与えるおそれがある。また、一般に天井高が低い小規模介護施設や一般家庭では、リフト装置で高く椅子本体部２００を吊り上げられないため、方法２を採用できない。
しかも、上記入浴介護用椅子１００の場合、足Ｆがサポートされず、座部２１０より下方に垂れ下がった状態で被介護者Ｍを入槽させるようになっているため、椅子本体部２００を下げていくと、まず、足Ｆが浴槽Ｔの底にあたり、椅子本体部２００に着座した被介護者Ｍが浴槽Ｔ内でバランスを崩すおそれがある。
【００１０】
本発明は、上記事情に鑑みて、浴槽を大きくする必要がなく、また、椅子本体部の吊り上げ高さを低くしても、着座した被介護者の足が浴槽の框に引っかかることなく被介護者をリフト装置を用いて容易かつ安全に浴槽に入槽させることができる介護用椅子を提供することを目的としている。
【課題を解決するための手段】
【００１１】
上記目的を達成するために、本発明にかかる介護用椅子は、座部および背凭れ部を有する椅子本体部と、足載せ部および足載せ支持部を有するフットサポート部を備える介護用椅子であって、前記フットサポート部は、上方へ吊り上げる力が働くと、少なくとも椅子本体部の背凭れ部の姿勢を吊り上げ前の状態に保持させて、前記足載せ部が少なくとも上方に向かって移動可能に、かつ、前記吊り上げる力が解除されると、前記足載せ部が移動した上方位置から吊り上げ前の位置まで下降可能に、前記椅子本体部に支持されていることを特徴としている。
【００１２】
本発明の介護用椅子は、特に限定されないが、椅子本体部と、フットサポート部のみからなる構成や、椅子本体部と、この椅子本体部を着脱可能かつ装着状態で走行可能に下方から支持する台車部を有する構成とすることができる。
なお、前者の構成とした場合、本発明の介護用椅子を、居室内で使用される車椅子の座部および背凭れ部に受けられるように介護用椅子を載せれば、車椅子によって、介護用椅子に被介護者等の使用者を着座させた状態で浴室まで移送し、リフト装置の吊下げ条体を用いて介護用椅子を車椅子から分離するように吊り上げて、使用者を介護用椅子に載せた状態で入槽させることができる。
また、上記のように居室で使用する車椅子を台車部代わりに用いる場合、車椅子に載せた状態で椅子本体部を車椅子のアームレスト等に係止できるようなロック手段を椅子本体部あるいは車椅子側に設けるようにすることが好ましい。
【００１３】
本発明の介護用椅子は、リフト装置の吊下げ条体を係止する条体係止部が、椅子本体部およびフットサポート部の足載せ支持部に設けられている構成とすることが好ましい。
上記吊下げ条体としては、リフト装置と椅子本体部との間に介在するように設けられ、リフト装置による昇降によって椅子本体部を昇降させることができれば、特に限定されないが、たとえば、吊りベルト、ワイヤーロープ、チェーンや、これらにフック等を組み合わせたものなどが挙げられる。
条体係止部の形状としては、吊下げ条体が係止でき、吊り上げに障害とならないものであれば、特に限定されないが、たとえば、環形状、鉤形状、溝形状などが挙げられる。
【００１４】
本発明の介護用椅子は、足載せ部を上方に移動可能する機構としては、特に限定されないが、例えば、以下（１）〜（４）のようなものが挙げられる。
（１）フットサポート部の、足載せ支持部の一端を、椅子本体部の幅方向に平行なフットサポート枢支軸を介して前記椅子本体部に回動自在に支持させる機構。
（２）上記（１）の機構において、椅子本体部に、一端がフットサポート枢支軸に平行な軸を介して座部下面に回動自在に支持され、他端がフットサポート枢支軸に枢支されている支持アームを設けて、足載せ部が上方に移動するに伴って、支持アームが回動し、フットサポート枢支軸が、座部後方（背凭れ部方向）に移動、すなわち、足載せ部が座部後方にも移動する機構。
（３）椅子本体部に、上側に向かって背凭れ部に近づくように傾くガイド部を有し、足載せ支持部が前記ガイド部に沿ってスライドするように支持されている機構。
（４）足載せ支持部を座部に固定するとともに、座部をその幅方向に平行な座部枢支軸を介して回動可能に背凭れ部に支持し、足載せ支持部を吊り上げる力が働くと、座部枢支軸を中心に座部が回動することによって、座部とともに、フットサポート部も回動させて、足載せ部を上方に移動させる機構。
上記（４）の機構において、座部が、その幅方向の中心軸に沿って切断した断面で見て下方に凸の円弧形状となっているとともに、円弧の中心に座部枢支軸が一致している構成にすることが好ましい。
【００１５】
本発明の介護用椅子は、特に限定されないが、例えば、着座した使用者の頭を支持するヘッドレスト、腕を支持するアームレスト、ふくらはぎを支持するレッグレストを備えていてもよい。
【発明の効果】
【００１６】
本発明の介護用椅子は、座部および背凭れ部を有する椅子本体部と、足載せ部および足載せ支持部を有するフットサポート部を備える介護用椅子であって、前記フットサポート部は、上方へ吊り上げる力が働くと、少なくとも椅子本体部の背凭れ部の姿勢を吊り上げ前の状態に保持させて、前記足載せ部が少なくとも上方に向かって移動可能に、かつ、前記吊り上げる力が解除されると、前記足載せ部が移動した上方位置から吊り上げ前の位置まで下降可能に、前記椅子本体部に支持されているので、浴槽を大きくする必要がなく、また、椅子本体部の吊り上げ高さを低くしても、着座した被介護者の足が浴槽の框に引っかかることなく被介護者をリフト装置を用いて容易かつ安全に浴槽に入槽させることができる。
【００１７】
すなわち、寝室や浴室の隣室等で、椅子本体部に被介護者を着座させたのち、椅子本体部を台車部に装着した状態、あるいは、居室で使用されている車椅子に載せた状態で浴室のリフト装置の近傍まで移送したのち、リフト装置の少なくとも１つの吊下げ条体を椅子本体部の所定位置（例えば、背凭れ部の外縁を構成するフレームに設けられた係止部）に係止させるとともに、リフト装置の他の少なくとも１つの吊下げ条体をフットサポート部の所定位置（例えば、足受け支持部に設けられた係止部）に係止させて、椅子本体部の姿勢が着座状態を安全に維持できるようにバランスをとりながら、リフト装置を操作して複数の吊下げ条体によって椅子本体部およびフットサポート部を吊り上げるようにすれば、被介護者が着座姿勢を保ちながら、椅子本体部およびフットサポート部とともに吊り上げられる。
【００１８】
このとき、足載せ部が、少なくとも上方に向かって移動可能になっているので、吊り上げによって、足載せ部の位置を高くすることができる。すなわち、介護者が被介護者の足首や脹脛を持って支えることなく足が上方に持ち上げられた状態となる。
したがって、椅子本体部を大きく吊り上げなくても、足載せ部が浴槽の框に引っかからず、椅子本体部および足載せ部を浴槽の真上に配置することができる。また、介護者が無理な姿勢をとりながらリフト装置を操作するということもなくなる。
【００１９】
さらに、足載せ部の移動を、背凭れ部の動きに連動することなく行わせることができるので、背凭れ部を水平方向に倒さなくても、足載せ部のみを上方に移動させることができる。すなわち、平面的にみて椅子本体部の前後方向（背凭れ部側から足受け部側に向かう方向）の寸法が短い状態で入槽させることができるので、長手寸法が短い浴槽しかない場合においても高く吊り上げることなく入槽させることができる。
【図面の簡単な説明】
【００２０】
【図１】本発明にかかる介護用椅子の第１の実施の形態の正面図である。
【図２】図１の介護用椅子の背面図である。
【図３】図１の介護用椅子の側面図である。
【図４】図１の介護用椅子の平面図である。
【図５】図１の介護用椅子に被介護者を載せて浴室のリフト装置近傍まで移送した状態の概略斜視図である。
【図６】図１の介護用椅子の椅子本体部およびフットサポート部に装着した吊りベルトの上端をリフト装置のフック部に係止させた状態をあらわす概略斜視図である。
【図７】図１の介護用椅子の椅子本体部およびフットサポート部を吊りベルトを介して吊り上げる途中の状態をあらわす概略斜視図である。
【図８】図１の介護用椅子の椅子本体部およびフットサポート部を吊り上げ、浴槽の上側に臨ませた状態の概略斜視図である。
【図９】図１の介護用椅子の椅子本体部およびフットサポート部を模式的に説明する図であって、同図 （ａ）は吊り上げ前の状態、同図 (ｂ)は吊り上げ時の状態をあらわしている。
【図１０】本発明にかかる介護用椅子の第２の実施の形態の椅子本体部およびフットサポート部を模式的に説明する図であって、同図 （ａ）は吊り上げ前の状態、同図 (ｂ)は吊り上げ時の状態をあらわしている。
【図１１】本発明にかかる介護用椅子の第３の実施の形態の椅子本体部およびフットサポート部を模式的に説明する図であって、同図 （ａ）は吊り上げ前の状態、同図 (ｂ)は吊り上げ時の状態をあらわしている。
【図１２】本発明にかかる介護用椅子の第４の実施の形態の椅子本体部およびフットサポート部を模式的に説明する図であって、同図 （ａ）は吊り上げ前の状態、同図 (ｂ)は吊り上げ時の状態をあらわしている。
【図１３】本発明にかかる介護用椅子の第５の実施の形態の椅子本体部およびフットサポート部を模式的に説明する図であって、同図 （ａ）は吊り上げ前の状態、同図 (ｂ)は吊り上げ時の状態をあらわしている。
【図１４】本発明にかかる介護用椅子の第６の実施の形態の椅子本体部およびフットサポート部を模式的に説明する図であって、同図 （ａ）は吊り上げ前の状態、同図 (ｂ)は吊り上げ時の状態をあらわしている。
【図１５】本発明にかかる介護用椅子の第７の実施の形態の椅子本体部およびフットサポート部を模式的に説明する図であって、同図 （ａ）は吊り上げ前の状態、同図 (ｂ)は吊り上げ時の状態をあらわしている。
【図１６】本発明にかかる介護用椅子の第８の実施の形態の椅子本体部およびフットサポート部を模式的に説明する図であって、同図 （ａ）は吊り上げ前の状態、同図 (ｂ)は吊り上げ時の状態をあらわしている。
【図１７】本発明にかかる介護用椅子の第９の実施の形態の椅子本体部およびフットサポート部を模式的に説明する図であって、同図 （ａ）は吊り上げ前の状態、同図 (ｂ)は吊り上げ時の状態をあらわしている。
【図１８】公知の入浴介護用車椅子の椅子本体部を吊り上げた状態を浴室洗い場側から見た図である。
【図１９】図１８の入浴介護用車椅子の椅子本体部を高く吊り上げた状態を浴室洗い場側から見た図である。
【発明を実施するための最良の形態】
【００２１】
以下に、本発明を、その実施の形態をあらわす図面を参照しつつ詳しく説明する。
図１〜図９は、本発明の介護用椅子の第１の実施の形態をあらわしている。
【００２２】
図１〜図８に示すように、この介護用椅子Ａは、椅子本体部１ａと、フットサポート部２ａと、台車部３を備えている。
椅子本体部１ａは、座部４ａと、背凭れ部５ａと、左右一対のアームレスト６と、ヘッドレスト７を備えている。
【００２３】
座部４ａは、座板支持フレーム４１と座板４２を備えている。
座板支持フレーム４１は、アルミニウム、アルミニウム合金やステンレス鋼からなる金属パイプを用いて枠状に形成されている。
座板支持フレーム４１の下面側には、図３および図８に示すように、後述する台車部３に設けられた横ズレ防止係合部３０に係合する係合部４３が設けられている。
また、座板支持フレーム４１の側面には、後述する台車部３側に設けられたフック受部３０ａに係脱可能で係合によって台車部３に椅子本体部１ａを固定するレバー状の係止フック４１ｇが設けられている。
【００２４】
座板４２は、合成樹脂の成形品であって、四周が座板支持フレーム４１によって下方から支持され、図４に示すように、下方からシャワー水を被介護者Ｍの臀部に噴射できるとともに、介護者が座板４２の下側から手を差し入れて、被介護者Ｍの介護を容易に行えるように、中央に孔４０が設けられている。
また、座板４２は、椅子本体部１ａを、後述するように台車部３に支持し、浴室Ｒの床面に載置した状態で、座板４２の上面が浴槽Ｔの框Ｔ１上面に略一致するように設けられている。
【００２５】
背凭れ部５ａは、背凭れ板５１と、背凭れ支持フレーム５２を備えている。
背凭れ板５１は、合成樹脂の成形品であって、幅方向（図１の左右方向）の両側に、背凭れ板５１の幅方向内側に向かって切り欠かれた形状の上部切欠部５１ａおよび下部切欠部５１ｂがそれぞれ左右対称に設けられている。
【００２６】
背凭れ支持フレーム５２は、アルミニウム、アルミニウム合金やステンレス鋼からなる金属パイプを用いて枠状に形成されていて、上部切欠部５１ａおよび下部切欠部５１ｂの部分を除き、背凭れ板５１の周囲を背面側から受けた状態で、背凭れ板５１が固定されている。
また、背凭れ支持フレーム５２は、その下端が座板支持フレーム４１に回動可能に連結されている。
【００２７】
背凭れ支持フレーム５２の上部切欠部５１ａを臨む位置には、椅子本体部の吊り上げ用吊りベルトＳの下端が取り付けられる第１係止部５３が背凭れ支持フレーム５２の幅方向外側に張り出すように設けられている。
また、背凭れ支持フレーム５２の第１係止部５３より下方の上部切欠部５１ａを臨む部分には、第１グリップ部材５４が外嵌一体化されている。
第１グリップ部材５４は、合成ゴム、合成樹脂エラストマー、その発泡体等のクッション性およびグリップ性に優れた材料によって形成されていて、被介護者Ｍが椅子本体部１ａに乗り移る際に手がかりとなるように設けられている。
【００２８】
アームレスト６は、アームレスト本体部６１と、握り手部６２を備えている。
アームレスト本体部６１は、図３に示すように、アルミニウムやステンレス鋼等の金属パイプで形成された本体芯部６１ａを有し、この本体芯部６１ａの一端が背凭れ支持フレーム５２の下部切欠部５１ｂを臨む位置に上下方向に回動自在に枢支されている。
また、本体芯部６１ａには、筒状のクッション部材６１ｂが外嵌されている。
クッション部材６１ｂは、合成ゴム、合成樹脂エラストマー、その発泡体等のクッション性に優れた材料によって形成されている。
【００２９】
握り手部６２は、アルミニウム、アルミニウム合金やステンレス鋼からなる金属パイプを用いて形成された略Ｌ字形をした握り手芯部６２ａを有し、この握り手芯部６２ａのＬ字の一辺側が、本体芯部６１ａの一端に本体芯部６１ａの中心軸を中心に回動可能に嵌合されている。
また、握り手芯部６２ａのＬ字の他辺には、筒状の第２グリップ部材６２ｂが外嵌されている。
【００３０】
第２グリップ部材６２ｂは、合成ゴム、合成樹脂エラストマー、その発泡体等のクッション性およびグリップ性に優れた材料によって形成されている。
そして、アームレスト６は、被介護者Ｍが椅子本体部１ａへ乗り移る際に邪魔にならないように、それぞれ図３に２点鎖線で示すように、跳ね上げることができるようになっている。
【００３１】
ヘッドレスト７は、ヘッドレスト本体７１と、このヘッドレスト本体７１の背面側に設けられた支柱部７２を備え、支柱部７２がヘッドレスト本体７１の高さを変更可能に背凭れ支持フレーム５２の上端に支持されている。
【００３２】
フットサポート部２ａは、左右一対の足載せ部２１と、左右一対の足載せ支持部２２を備えている。
足載せ部２１は、合成樹脂成形品であって、後述する足載せ支持部２２の下側支持部２２ｂに回動自在に支持されている。
【００３３】
足載せ支持部２２は、アルミニウム、アルミニウム合金やステンレス鋼からなる金属パイプを用いて形成された上側支持部２２ａと、下側支持部２２ｂを備えている。
上側支持部２２ａは、略への字形に屈曲した形状になって、上端が座板支持フレーム４１の下面側に設けられた枢支軸４１ａを介して支持され、枢支軸４１ａを中心に上下方向に回動可能になっている。
また、上側支持部２２ａには、吊りベルトＳの下端が係止される第２係止部２４が設けられている。
【００３４】
下側支持部２２ｂは、略への字形に屈曲した形状になって、上側支持部２２ａに対して逆方向に屈曲するとともに、への字の一端部が上側支持部２２ａの下端側に嵌合長さを調整可能にはめ込まれている。すなわち、嵌合長さを変えることによって、足載せ部２１の高さを被介護者Ｍに合わせて調整できるようになっている。
また、左右の足載せ支持部２２は、図１、図２に示すように、アルミニウム、アルミニウム合金やステンレス鋼からなる金属パイプを用いて形成されたレッグサポート２３を介して連結されている。
【００３５】
そして、フットサポート部２ａは、椅子本体部１ａが台車部３に下方から受けられた状態で、図９（ａ）に示すように、自重で、下がった位置となり、第２係止部２４に係止された吊りベルトＳを介して吊り上げ方向の力が加わると、図９（ｂ）に示すように、背凭れ部５ａが同じ姿勢（背凭れ部５ａの傾斜角度が水平面に対して一定に保たれた姿勢）を保持した状態で、足載せ支持部２２が、枢支軸４１ａを中心に上方へ回動し、足載せ部２１が上方に移動するようになっている。
【００３６】
台車部３は、台車本体３１と、左右一対の前輪３２と、左右一対の後輪３３を備えている。
台車本体３１は、アルミニウム、アルミニウム合金やステンレス鋼からなる金属パイプを用いて形成されていて、操作ハンドル部３１ａと、座部支持部３１ｂと、脚部３１ｃを備えている。
前輪３２、後輪３３は、それぞれロック機構（図示せず）付きのキャスター輪になっている。
【００３７】
操作ハンドル部３１ａは、背凭れ部５ａの背面側に立ち上げるように設けられていて、リクライニング手段のリクライニング動作レバー３４が設けられている。
リクライニング動作レバー３４は、図示していないが、ワイヤを介して脚部３１ｃに支持されたブレーキ（図示せず）付きのシリンダ機構３５に連結されている。
シリンダ機構３５は、リクライニング動作レバー３４を握ることによって前記ブレーキが解除され、シリンダロッド３５ａが伸縮可能になり、リクライニング動作レバー３４の握りを解除するとスプリングによって元の状態に戻り、シリンダロッド３５ａがブレーキによって任意の伸縮位置で固定できるようになっている。
【００３８】
座部支持部３１ｂは、図３に示すように、コの字形をしていて、コの字の横片部の両先端（図３では片側しかあらわれていない）が脚部３１ｃに軸３１ｄを介して枢支されている。
そして、座部支持部３１ｂは、リクライニング動作レバー３４を握り、シリンダ機構３５のブレーキが解除されると、操作ハンドル部３１ａを上下に押し引きすることによって操作ハンドル部３１ａの押し引き方向に軸３１ｄを中心に回動するようになっている。
すなわち、リクライニング動作レバー３４を握り操作ハンドル部３１ａを下方に押すと、座部支持部３１ｂに支持された椅子本体部１ａは、図示していないが、背凭れ部５ａが後方に傾き（座部４ａの前側が上がる）、リクライニング姿勢になり、リクライニング動作レバー３４の握りを解除すると、そのリクライニング姿勢で固定された状態になる。
一方、リクライニング動作レバー３４を握りながら操作ハンドル部３１ａを上方に引き上げると、背凭れ部５ａが立ち上がった状態となる。
また、座部支持部３１ｂは、コの字の両横辺部からそれぞれ他方の横辺部側に張り出すように設けられた横ズレ防止係合部３０と、フック受部３０ａを備えている。
横ズレ防止係合部３０は、座板支持フレーム４１を下方から受けるとともに、座板支持フレーム４１の係合部４３が嵌り込んで台車部３に支持された椅子本体部１ａが横ズレしないように作用する。
フック受部３０ａは、座板支持フレーム４１が座部支持部３１ｂに受けられた状態で上記係止フック４１ｇが係脱可能な位置に設けられている。
また、フック受部３０ａは、図示していないが、先端部が拡径していて、この拡径部が係止フック４１ｇを係合状態としたとき、座部４ａの幅方向への移動を防止するようになっている。
【００３９】
この介護用椅子Ａは、上記のようになっており、たとえば、以下のようにして被介護者Ｍを入浴介護することができる。
（１）介護者が寝室や浴室の隣室で衣服を脱がせて被介護者Ｍを介護用椅子Ａに移乗させたのち、図５に示すように、浴室まで移送し、前輪３２及び後輪３３をロック状態にする。なお、被介護者Ｍを介護用椅子Ａに載せて移送中は、安全面から、係止フック４１ｇをフック受部３０ａに係止された状態にしておく。
（２）図６に示すように、リフト装置Ｌの吊下げ部Ｌ１を介護用椅子Ａのほぼ直上に配置し、吊下げ部Ｌ１を吊りベルトＳが係止できる位置まで下げたのち、４本の吊りベルトＳを吊下げ部Ｌ１に係止させる。
（３）係止フック４１ｇを操作してフック受部３０ａとの係合を解除する。なお、（３）の動作は、上記（２）の動作より先に行ってもよいが、安全性を考慮すると、上記（２）の動作の後で行うことが好ましい。
（４）リフト装置Ｌの吊下げ部Ｌ１を足載せ部２１の下端が、浴槽Ｔの框Ｔ１上面より少し高い位置（水平移動させたときに、足載せ部２１の下端が框Ｔ１に衝突することがない最低位置、あるいはそれに近い位置）になるまで上昇させる。すなわち、吊下げ部Ｌ１を上昇させていくと、まず、図７及び図９（ｂ）に示すように、フットサポート部２ａが、座板４２および背凭れ板５１の姿勢が図９（ａ）に示す姿勢（台車部３に支持された姿勢）を保持した状態で、足載せ支持部２２が枢支軸４１ａを中心に回動し、それにともない足載せ部２１が上方に移動する。すなわち、被介護者Ｍは、臀部より上側に部分が座部４ａおよび背凭れ部５ａに支持された姿勢が保たれたまま、足Ｆが上方に持ち上げられる。
そして、足載せ支持部２２の上側支持部２２ａが、座板支持フレーム４１の下面に沿う位置までくると、椅子本体部１ａが足載せ部２１が上方に移動した状態を保ちながら、椅子本体部１ａが台車部３から離脱し、フットサポート部２ａとともに上方に吊り上げられる。
（５）リフト装置Ｌによって（４）の吊り上げ状態を保ちながら、椅子本体部１ａおよびフットサポート部２ａを浴槽Ｔ上の入槽位置直上まで移動させる。
（６）リフト装置Ｌの吊下げ部Ｌ１を、座部４ａの下端およびフットサポート部２ａの足載せ部２１が浴槽Ｔの底に着くまで下降させて、被介護者Ｍを浴槽Ｔ内に入槽させる。
（７）被介護者Ｍの入浴が完了すると、吊下げ部Ｌ１を上昇させて、足載せ部２１の下端が框Ｔ１より少し高い位置（水平移動させたときに、足載せ部２１の下端が框Ｔ１に衝突することがない最低位置、あるいはそれに近い位置）になるまで上昇させる。
（８）リフト装置Ｌによって（７）の吊り上げ状態を保ちながら、椅子本体部１ａをフットサポート部２ａとともに、台車部３の直上まで移動させる。
（９）吊下げ部Ｌ１を下降させて、椅子本体部１ａを台車部３に固定する。
【００４０】
上記のように、この介護用椅子Ａは、椅子本体部１ａにフットサポート部２ａが支持されているので、足載せ部２１に被介護者Ｍの足Ｆを載せた安定した姿勢で被介護者Ｍを椅子本体部１ａとともに吊り上げることができる。
しかも、吊り上げによって、足載せ部２１が上方に移動し、足載せ部２１の下端が上方にあがった状態に保持されるので、椅子本体部１ａを高く吊り上げなくても、足載せ部２１の下端を浴槽Ｔの框Ｔ１より高い位置にすることができる。
すなわち、被介護者Ｍを必要最小限の高さまで吊り上げるだけでよいため、被介護者Ｍが安心して入浴介護を受けることができるとともに、天井高の低い浴室でもリフト装置Ｌを利用して着座状態の被介護者Ｍを安定した着座状態のまま入槽させることができる。
【００４１】
また、背凭れ部５ａの姿勢が台車部３に支持されていた時と同様の姿勢を保持しながら、足載せ支持部２２を回動させることができるので、すなわち、吊り上げによって足載せ部２１を上方に移動させることができるので、椅子本体部１ａの背凭れ部５ａを水平方向に傾けなくてもよい。
したがって、長手寸法の短い浴槽Ｔであっても入槽させることができる。
勿論、この介護用椅子Ａは、浴槽Ｔの長手寸法が長い浴槽が設置された浴室で用いる場合、第１係止部５３と第２係止部２４に係止される吊りベルトＳの長さ比を変えるなどして図３に示す背凭れ部５ａの姿勢より水平方向に傾けた状態にして椅子本体部１ａおよびフットサポート部２ａを吊り上げるようにしても構わない。
【００４２】
また、この介護用椅子Ａは、台車部３に椅子本体部１ａが支持固定された状態で、座板４２の上面が浴槽Ｔの框Ｔ１上面に略一致するように設けられているとともに、アームレスト６を跳ね上げ姿勢にすることができるようになっているので、この介護用椅子Ａを、リフト装置Ｌが不要で、椅子本体部１ａの座部４ａから浴槽Ｔの框Ｔ１に移乗可能な被介護者Ｍに用いた場合でも、被介護者Ｍの座部４ａから浴槽Ｔの框Ｔ１への移乗あるいは浴槽Ｔの框Ｔ１から座部４ａへの移乗を容易かつ安全に行うことができる。
【００４３】
図１０は本発明にかかる介護用椅子の第２の実施の形態であって、同図（ａ）は椅子本体部およびフットサポート部を台車部上から吊り上げる前（あるいは台車部上に吊り降ろした後）の状態、同図（ｂ）は椅子本体部およびフットサポート部を吊り上げた状態をあらわしている。
図１０に示すように、この介護用椅子は、椅子本体部１ｂおよびフットサポート部２ｂが、以下のような構成となっている以外は、上記介護用椅子Ａと同様になっている。
【００４４】
すなわち、椅子本体部１ｂは、座部４ｂより下方に突出するように筒状ガイド部４１ｂ（図１０では一方しかあらわれていない）を座部４ｂの両側部に一体に備え、フットサポート部２ｂの第２係止部２４に吊りベルトＳによって吊り上げ方向の力が加わると、この筒状ガイド部４１ｂに沿って足載せ支持部２２が上方にスライドし、足載せ部２１が図１０（ａ）に示す下方位置から、図１０（ｂ）に示す上方位置まで、椅子本体部１ａの姿勢を変えることなく、上方に移動するようになっている。
なお、図１０中、５ｂは背凭れ部である。
【００４５】
図１１は本発明にかかる介護用椅子の第３の実施の形態であって、同図（ａ）は椅子本体部およびフットサポート部を吊り上げる前（あるいは台車部上に吊り降ろした後）の状態、同図（ｂ）は椅子本体部およびフットサポート部を吊り上げた状態をあらわしている。
図１１に示すように、この介護用椅子は、椅子本体部１ｃおよびフットサポート部２ｃが、以下のような構成となっている以外は、上記介護用椅子Ａと同様になっている。
【００４６】
すなわち、椅子本体部１ｃは、座部４ｃより上方に突出するように筒状ガイド部４１ｃ（図１０では一方しかあらわれていない）を座部４ｃの両側部に一体に備え、フットサポート部２ｃの第２係止部２４に吊りベルトＳによって吊り上げ方向の力が加わると、この筒状ガイド部４１ｃに沿って足載せ支持部２２が上方にスライドし、足載せ部２１が図１１（ａ）に示す下方位置から、図１１（ｂ）に示す上方位置まで、椅子本体部１ｃの姿勢を変えることなく、上方に移動するようになっている。
なお、図１１中、５ｃは背凭れ部である。
【００４７】
図１２は本発明にかかる介護用椅子の第４の実施の形態であって、同図（ａ）は椅子本体部およびフットサポート部を吊り上げる前（あるいは台車部上に吊り降ろした後）の状態、同図（ｂ）は椅子本体部およびフットサポート部を吊り上げた状態をあらわしている。
図１２に示すように、この介護用椅子は、椅子本体部１ｄおよびフットサポート部２ｄが、以下のような構成となっている以外は、上記介護用椅子Ａと同様になっている。
【００４８】
すなわち、椅子本体部１ｄは、座部４ｄの下面側に設けられた固定軸４１ｄを介してリンクバー４１ｅが座部４ａの前後方向に回動可能に支持されている。
また、リンクバー４１ｅの先端に可動枢支軸４１ｆが設けられていて、この可動枢支軸４１ｆに上記フットサポート部２ａと同様の構造をしたフットサポート部２ｄの足載せ支持部２２が枢支されている。
【００４９】
したがって、フットサポート部２ｄの第２係止部２４に吊りベルトＳによって吊り上げ方向の力が加わると、図１２（ｂ）に示すように、フットサポート部２ｄの足載せ支持部２２が可動枢支軸４１ｆを中心に足載せ部２１が上方に移動するように回動するとともに、リンクバー４１ｅが固定軸４１ｄを中心に可動枢支軸４１ｆが座部４ａの後方側に移動するように回動する。
すなわち、この介護用椅子は、足載せ部２１を座部４ａの下面にできるだけ近い位置まで移動できるようになり、吊り上げ高さをより少なくすることができるとともに、椅子本体部１ａとともに、被介護者Ｍを浴槽Ｔの深い位置まで入槽させることができる。
なお、図１２中、５ｄは背凭れ部である。
【００５０】
図１３は本発明にかかる介護用椅子の第５の実施の形態であって、同図（ａ）は椅子本体部およびフットサポート部を吊り上げる前（あるいは台車部上に吊り降ろした後）の状態、同図（ｂ）は椅子本体部およびフットサポート部を吊り上げた状態をあらわしている。
図１３に示すように、この介護用椅子は、椅子本体部１ｅおよびフットサポート部２ｅが、以下のような構成となっている以外は、上記介護用椅子Ａと同様になっている。
【００５１】
すなわち、この介護用椅子は、椅子本体部１ｅの座部４ｅと、背凭れ部５ｅとが連結軸１１によって接続されている。
座部４ｅの先端にフットサポート部２ｅの足載せ支持部２２が固定状態となっている。
【００５２】
また、座部４ｅは、その座板４６が側面視で下側に凸の湾曲形状になっている。
そして、フットサポート部２ｅの第２係止部２４に吊りベルトＳによって吊り上げ方向の力が加わると、図１３（ｂ）に示すように、足載せ部２１側が上方に移動し、この移動に伴って、背凭れ部５ｅの姿勢を図１３（ａ）に示すように吊り上げ前の状態に保持した状態で、座部４ｅが連結軸１１を中心にフットサポート部２ｅ側が持ち上がるように回動する。
【００５３】
この介護用椅子は、上記のように座部４ｅの座板４６が側面視で下側に凸の湾曲形状になっているので、被介護者Ｍをより安定した状態で座部４ｅに座らせることができる。  
【００５４】
図１４は本発明にかかる介護用椅子の第６の実施の形態であって、同図（ａ）は椅子本体部およびフットサポート部を吊り上げる前（あるいは台車部上に吊り降ろした後）の状態、同図（ｂ）は椅子本体部およびフットサポート部を吊り上げた状態をあらわしている。
図１４に示すように、この介護用椅子は、椅子本体部１ｆの座部４ｅの先端に設けられた枢支軸４７にフットサポート部２ｆの足載せ支持部２２の上端が枢支されている以外は、上記介護用椅子Ａと同様になっている。
なお、図１４中、５ｆは背凭れ部である。
【００５５】
図１５は本発明にかかる介護用椅子の第７の実施の形態であって、同図（ａ）は椅子本体部およびフットサポート部を吊り上げる前（あるいは台車部上に吊り降ろした後）の状態、同図（ｂ）は椅子本体部およびフットサポート部を吊り上げた状態をあらわしている。
図１５に示すように、この介護用椅子は、椅子本体部１ｇおよびフットサポート部２ｇが、以下のような構成となっている以外は、上記介護用椅子Ａと同様になっている。
【００５６】
すなわち、椅子本体部１ｇは、座部４ｇの上面側に設けられた固定軸４８ａを介してリンクバー４８ｂが座部４ｇの前後方向に回動可能に支持されている。
また、リンクバー４８ｂの先端に可動枢支軸４８ｃが設けられていて、この可動枢支軸４８ｃに上記フットサポート部２ａと同様の構造をしたフットサポート部２ｇの足載せ支持部２２が枢支されている。
【００５７】
したがって、フットサポート部２ｇの第２係止部２４に吊りベルトＳによって吊り上げ方向の力が加わると、図１５（ｂ）に示すように、フットサポート部２ｇの足載せ支持部２２が可動枢支軸４８ｃを中心に足載せ部２１が上方に移動するように回動するとともに、リンクバー４８ｂが固定軸４８ａを中心に可動枢支軸４８ｃが座部４ｇの後方側に移動するように回動する。
すなわち、この介護用椅子は、足載せ部２１を座部４ｇの下面にできるだけ近い位置まで移動できるようになり、吊り上げ高さをより少なくすることができるとともに、椅子本体部１ｇとともに、被介護者Ｍを浴槽Ｔの深い位置まで入槽させることができる。
なお、図１５中、５ｇは背凭れ部である。
【００５８】
図１６は本発明にかかる介護用椅子の第８の実施の形態であって、同図（ａ）は椅子本体部およびフットサポート部を吊り上げる前（あるいは台車部上に吊り降ろした後）の状態、同図（ｂ）は椅子本体部およびフットサポート部を吊り上げた状態をあらわしている。
図１６に示すように、この介護用椅子は、椅子本体部１ｈおよびフットサポート部２ｈが、以下のような構成となっている以外は、上記介護用椅子Ａと同様になっている。
【００５９】
この介護用椅子は、椅子本体部１ｈの座部４ｈが、背凭れ部５ｈに設けられた固定アーム５５と、固定アーム５５に枢支軸５６を介して回動可能に支持された可動アーム５７とからなる座部支持手段を介して支持されている。
【００６０】
座部４ｈは、座面が下に凸の湾曲形状になっていて、可動アーム５７の下端に支持されている。
フットサポート部２ｈは、座部４ｈの反背凭れ部５ｈ側に足載せ支持部２２が固定状態となっている。
【００６１】
そして、フットサポート部２ｈの第２係止部２４に吊りベルトＳによって吊り上げ方向の力が加わると、図１６（ｂ）に示すように、足載せ部２１側が上方に移動し、この移動に伴って、背凭れ部５ｈの姿勢を図１６（ａ）に示すように吊り上げ前（あるいは台車部上に吊り降ろした後）の状態に保持した状態で、座部４ｈが枢支軸５６を中心にフットサポート部２ｈ側が持ち上がるように回動する。
【００６２】
図１７は本発明にかかる介護用椅子の第９の実施の形態であって、同図（ａ）は椅子本体部およびフットサポート部を吊り上げる前（あるいは台車部上に吊り降ろした後）の状態、同図（ｂ）は椅子本体部およびフットサポート部を吊り上げた状態をあらわしている。
図１７に示すように、この介護用椅子は、椅子本体部１ｉおよびフットサポート部２ｉが、以下のような構成となっている以外は、上記介護用椅子Ａと同様になっている。
【００６３】
すなわち、椅子本体部１ｉは、座部４ｉの下面側に設けられた第１固定軸４９ａを介して第１リンクバー４９ｂが座部４ｉの前後方向に回動可能に支持されている。第１リンクバー４９ｂの先端に第１可動軸４９ｃが設けられている。
座部４ｉの上面側に設けられた第２固定軸４１ｅを介して第２リンクバー４９ｆが座部４ｉの前後方向に回動可能に支持されている。第２リンクバー４９ｆの先端に第２可動軸４９ｇが設けられている。
【００６４】
そして、第１リンクバー４９ｂと第２リンクバー４９ｆとは、第１可動軸４９ｃと第２可動軸４９ｇとが連結バー４９ｄを介して連結されていて、平行状態を保ちつつ回動するようになっている。
フットサポート部２ｉは、足載せ支持部２２の上端が第２可動軸４９ｇに枢支されている。
なお、図１７中、５ｉは背凭れ部である。
【００６５】
本発明は、上記の実施の形態に限定されない。例えば、上記の実施の形態では、左右一対の足載せ部を備えていたが、左右の足載せ支持部を連結するように一つの足載せ部を設けて、両足をこの１つの足載せ部に載せるようにしても構わない。
また、上記の実施の形態では、座板および背凭れ板を座板支持フレームあるいは背凭れ支持フレームで支持することによって座部あるいは背凭れ部が形成されていたが、座板や背凭れ板に代えて、メッシュ状をしたシート材料の周囲をフレーム部に支持固定して背凭れ部としてもよい。
【符号の説明】
【００６６】
Ａ  介護用椅子
Ｆ  足
Ｌ  リフト装置
Ｌ１  吊下げ部
１ａ，１ｂ，１ｃ，１ｄ，１ｅ，１ｆ，１ｇ，１ｈ，１ｉ  椅子本体部
２ａ，２ｂ，２ｃ，２ｄ，２ｅ，２ｆ，２ｇ，２ｈ，２ｉ  フットサポート部
２１  足載せ部
２２  足載せ支持部
２２ａ  上側支持部
２２ｂ  下側支持部
２３  レッグサポート
２４  第２係止部
３  台車部
３０  横ズレ防止係合部
３０ａ  フック受部
３１  台車本体
３１ａ  操作ハンドル部
３１ｂ  座部支持部
３１ｃ  脚部
３１ｄ  軸
３２  前輪
３３  後輪
３４  リクライニング動作レバー
３５  シリンダ機構
３５ａ  シリンダロッド
４ａ，４ｂ，４ｃ，４ｄ，４ｅ，４ｆ，４ｇ，４ｈ，４ｉ  座部
４０  孔
４１  座板支持フレーム
４１ａ  枢支軸
４１ｂ  筒状ガイド部
４１ｃ  筒状ガイド部
４１ｄ  固定軸
４１ｅ  リンクバー
４１ｆ  可動枢支軸
４１ｇ  係止フック
４２  座板
４３  係合部
４８ａ  固定軸
４８ｂ  リンクバー
４８ｃ  可動枢支軸
４９ａ  第１固定軸
４９ｂ  第１リンクバー
４９ｃ  第１可動軸
４９ｄ  連結バー
４９ｅ  第２固定軸
４９ｆ  第２リンクバー
４９ｇ  第２可動軸
５ａ，５ｂ，５ｃ，５ｄ，５ｅ，５ｆ，５ｇ，５ｈ，５ｉ  背凭れ部
５１  背凭れ板
５１ａ  上部切欠部
５１ｂ  下部切欠部
５２  背凭れ支持フレーム
５３  第１係止部
５４  第１グリップ部材
６  アームレスト
６１  アームレスト本体部
６１ａ  本体芯部
６１ｂ  クッション部材
６２  握り手部
６２ａ  握り手芯部
６２ｂ  第２グリップ部材
７  ヘッドレスト
７１  ヘッドレスト本体
７２  支柱部
Ｍ  被介護者
Ｒ  浴室
Ｓ  吊りベルト
Ｔ  浴槽
Ｔ１  框
【図１】
2015181858.tif 000003
【図２】
2015181858.tif 000004
【図３】
2015181858.tif 000005
【図４】
2015181858.tif 000006
【図５】
2015181858.tif 000007
【図６】
2015181858.tif 000008
【図７】
2015181858.tif 000009
【図８】
2015181858.tif 000010
【図９】
2015181858.tif 000011
【図１０】
2015181858.tif 000012
【図１１】
2015181858.tif 000013
【図１２】
2015181858.tif 000014
【図１３】
2015181858.tif 000015
【図１４】
2015181858.tif 000016
【図１５】
2015181858.tif 000017
【図１６】
2015181858.tif 000018
【図１７】
2015181858.tif 000019
【図１８】
2015181858.tif 000020
【図１９】
2015181858.tif 000021